(57)【要約】【課題】コネクタどうしを嵌合させることによって太陽光発電ユニットを一体化することによって内部電極が接続されるカーテンウォールガラス用の組合わせ式太陽光発電パネルを提供する。【解決手段】太陽電池、ガラス、外部電極及び他の付属品を含む、カーテンウォールガラス用の組合わせ式太陽光発電パネルであって、太陽電池及びコネクタからなる複数の太陽光発電ユニットを含む太陽光発電パネル本体を有し、太陽電池の２個の電極ヘッドがそれぞれコネクタに挿入されて太陽光発電ユニットを形成し、太陽光発電ユニットどうしがコネクタを介して嵌合することによって太陽光発電パネル本体を形成し、太陽光発電パネル本体で内部電極が接続されている、カーテンウォールガラス用の組合わせ式太陽光発電パネル。【選択図】図７
2010016407.tif 000002
【特許請求の範囲】
【請求項１】
太陽電池、ガラス、外部電極及び他の付属品を含む、カーテンウォールガラス用の組合わせ式太陽光発電パネルであって、
太陽電池及びコネクタからなる複数の太陽光発電ユニットを含む太陽光発電パネル本体を有し、前記太陽電池の２個の電極ヘッドがそれぞれ前記コネクタに挿入されて前記太陽光発電ユニットを形成し、前記太陽光発電ユニットどうしが前記コネクタを介して嵌合することによって太陽光発電パネル本体を形成し、太陽光発電パネル本体で内部電極が接続されている、カーテンウォールガラス用の組合わせ式太陽光発電パネル。
【請求項２】
前記太陽光発電ユニットの前記内部電極が、少なくとも１個の太陽電池のプラス電極及びマイナス電極で構成されている、請求項１記載のカーテンウォールガラス用の組合わせ式太陽光発電パネル。
【請求項３】
前記コネクタが、打抜き又は鋳造された金属片であり、プラグ及びソケットを両端に有し、電極差込みソケットを胴部に有する、請求項１又は２記載のカーテンウォールガラス用の組合わせ式太陽光発電パネル。
【請求項４】
前記プラグの断面が長いスピンドル状であり、下部の前記ソケットが、弾性である両凹部分を有するスロットであり、それによって前記プラグを前記ソケットに差し込む、又は前記ソケットから抜き取ることが可能であり、前記プラグと前記ソケットは嵌合して電気接触を提供する、請求項３記載のカーテンウォールガラス用の組合わせ式太陽光発電パネル。
【請求項５】
前記コネクタが面対称構造である、請求項４記載のカーテンウォールガラス用の組合わせ式太陽光発電パネル。
【請求項６】
前記コネクタが、斜め方向又は直立方向の電極差込みソケットを胴部に有し、挿入された太陽電池の電極を締め付けて電極との電気接触を提供する、請求項１記載のカーテンウォールガラス用の組合わせ式太陽光発電パネル。
【請求項７】
前記コネクタが、絶縁外被をその周囲に有し、前記絶縁外被の表面にいくつかの固定穴が設けられている、請求項１記載のカーテンウォールガラス用の組合わせ式太陽光発電パネル。
【請求項８】
前記太陽電池の表面に透明なシートを貼り付けた、請求項１記載のカーテンウォールガラス用の組合わせ式太陽光発電パネル。
【発明の詳細な説明】
【技術分野】
【０００１】
本発明は、カーテンウォールガラス用の組合わせ式太陽光発電パネルに関し、特に、建材一体型太陽電池に関し、アモルファスシリコン薄膜太陽電池を備えた太陽光発電パネルに関する。
【背景技術】
【０００２】
一般に、電気配線によって接続された太陽電池は、中空ガラス又は積層ガラスと一体化されてパネルとなる。太陽光発電パネルの各太陽電池のプラス電極又はマイナス電極は、はんだ付用の内部配線によって直列又は並列に接続される。したがって、より多くの太陽電池が並列に接続されればされるほど、取付けの効率は低下する。独立型電力供給及び系統連携型発電は、太陽光発電の応用における二つの主要分野である。そして、太陽光発電システムの主要要素は、太陽電池を用いて作られる太陽光発電パネルである。薄膜太陽電池は、シリコンウェーハを使用することなく、ガラスのような廉価な基板に形成させたナノメートル半導体活性層を用いるため、低コストである。また、低温技術を用いて製造することができ、また、比較的大面積の製品を製造することができるという利点がある。現在、結晶又はアモルファスシリコン太陽電池から製造された太陽光発電パネルは、建材におけるカーテンウォールとして使用することができる。しかし、各アモルファスシリコン太陽電池の場合の最大出力は６０Ｗｐを超えることができる。アモルファスシリコン太陽電池は、より大きな面積及びより良好な剛性を有するため、太陽電池カーテンウォールガラスとして使用される大面積及び特大面積の太陽光発電パネルを製造するのに適している。建材においてカーテンウォールとして使用される太陽光発電パネルは、その良好な剛性及び高い絶縁性のおかげで、第二安全標準に適合する。さらに、９０℃又は−２０℃のような過酷な環境でさえ、バッテリ材料工業の規定に準じて１０余年にわたり使用することができる。
【０００３】
大面積で、良好な剛性及び少数の電極接続を有するアモルファスシリコン太陽電池の、太陽電池を支持するための金属フレームが中国特許出願第２００４１００２８００２．８号によって開示されている。太陽電池は、光を透過させるための間隔を有して配置され、建築的美観に適するパネルを形成しやすい。しかし、より多数の太陽光発電パネルがカーテンウォールガラスに使用されるにつれ、一つの問題が生じる。太陽電池をパネルに取り付けるとき、より多くの電極があり、カーテンウォールガラスの内部構造を大きく変更するために、組立て工程が非常に高度になる。枠組みは、その大きな面積のせいで、全体として輸送するには不都合であり、１個の太陽電池が壊れただけでも全体を取り外さなければならないため、その維持管理は困難である。
【発明の概要】
【発明が解決しようとする課題】
【０００４】
従来技術とは対照的に、本発明は、ブロック遊びのようにコネクタどうしを嵌合させることによって太陽光発電ユニットを一体化することによって内部電極が接続される、カーテンウォールガラス用の組合わせ式太陽光発電パネルを提供する。
【０００５】
本発明のもう一つの目的は、独立した装置として、異なる種類の導出電極と接続することができる標準化コネクタを提供することである。
【０００６】
本発明の第三の目的は、太陽電池ストリップ及びコネクタを備えた太陽光発電ユニットを提供することである。太陽電池ストリップは、薄膜太陽電池、特にアモルファスシリコン薄膜太陽電池から作られる。そして、複数の太陽光発電ユニットが、内部電極の並列接続によって太陽光発電パネル本体を構成する。そして、太陽光発電パネル本体が中空ガラス又は積層ガラスと組み合わさって建材一体型太陽光発電システムを構成する。
【課題を解決するための手段】
【０００７】
本発明は、太陽電池、ガラス、外部電極及び他の付属品を含む、カーテンウォールガラス用の組合わせ式太陽光発電パネルであって、太陽電池及びコネクタからなる複数の太陽光発電ユニットを含む太陽光発電パネル本体を有し、太陽電池の２個の電極ヘッドがそれぞれコネクタに挿入されて太陽光発電ユニットを形成し、太陽光発電ユニットどうしがコネクタを介して嵌合することによって太陽光発電パネル本体を形成し、太陽光発電パネル本体で内部電極が接続されている、カーテンウォールガラス用の組合わせ式太陽光発電パネルである。つまり、本発明のカーテンウォールガラス用の組合わせ式太陽光発電パネルは、内部電極が接続されている太陽光発電パネル本体を含む。太陽電池の２個の電極ヘッドがそれぞれコネクタに挿入されて太陽光発電ユニットを形成する。そして、複数の太陽光発電ユニットどうしがコネクタを介して嵌合されて太陽光発電パネル本体を形成する。
【０００８】
また、本発明は、太陽光発電ユニットの内部電極が、少なくとも１個の太陽電池のプラス電極及びマイナス電極で構成されている、カーテンウォールガラス用の組合わせ式太陽光発電パネルである。また、本発明は、コネクタが、打抜き又は鋳造された金属片であり、プラグ及びソケットを両端に有し、電極差込みソケットを胴部に有する、カーテンウォールガラス用の組合わせ式太陽光発電パネルである。また、本発明は、プラグの断面が長いスピンドル状であり、下部のソケットが、弾性である両凹部分を有するスロットであり、それによってプラグをソケットに差し込む、又はソケットから抜き取ることが可能であり、プラグとソケットは、嵌合して電気接触を提供する、カーテンウォールガラス用の組合わせ式太陽光発電パネルである。また、本発明は、コネクタが面対称構造である、カーテンウォールガラス用の組合わせ式太陽光発電パネルである。つまり、太陽光発電ユニットの内部電極は、少なくとも１個の太陽電池からのプラス電極及びマイナス電極で構成されている。コネクタは、打抜き又は鋳造された金属片であり、プラグ及びソケットを両端に有し、電極差込みソケットを胴部に有している。プラグの断面は長いスピンドル状であり、下部のソケットは、可撓性である両凹部分を有するスロットであり、それによってプラグをソケットに差し込む、又はソケットから抜き取ることが好都合であり、ぴったりと嵌合して優れた電気接触を提供する。コネクタは、面対称構造を有することができる。
【０００９】
また、本発明は、コネクタが、斜め方向又は直立方向の電極差込みソケットを胴部に有し、挿入された太陽電池の電極を締め付けて電極との電気接触を提供する、カーテンウォールガラス用の組合わせ式太陽光発電パネルである。つまり、コネクタは、斜め方向又は直立方向の電極差込みソケットを胴部に有し、挿入された電極を固く締め付けて電極との優れた電気接触を提供する。
【００１０】
また、本発明は、コネクタが、絶縁外被をその周囲に有し、絶縁外被の表面にいくつかの固定穴が設けられている、カーテンウォールガラス用の組合わせ式太陽光発電パネルである。つまり、コネクタは、絶縁外被をその周囲に有する。絶縁外被の表面にいくつかの固定穴が設けられてもよい。
【００１１】
また、本発明は、太陽電池の表面に透明なシートを貼り付けた、カーテンウォールガラス用の組合わせ式太陽光発電パネルである。つまり太陽電池の表面には、透明なシートを貼り付けることができる。
【００１２】
また、本発明は、太陽電池、ガラス及び他の付属品を含む組合わせ式太陽光発電パネルであって、複数の太陽光発電ユニットをそれらのプラス電極又はマイナス電極が並列に接続された状態で含む太陽光発電パネル本体を有し、薄膜太陽電池ストリップの二端の２個の電極がそれぞれコネクタに挿入されて太陽光発電ユニットを形成する組合わせ式太陽光発電パネルである。つまり、電池、ガラス及び他の付属品を含む本発明の組合わせ式太陽光発電パネルは、複数の太陽光発電ユニットをそれらのプラス電極又はマイナス電極が並列に接続された状態で含む太陽光発電パネル本体を有する。薄膜太陽電池ストリップの２個の電極ヘッドがそれぞれコネクタに挿入されて太陽光発電ユニットを形成する。太陽光発電ユニットの太陽電池の表面には、透明なシートを貼り付けて、外部のガラス／ＰＥＴとで凝集させ、封止することができる。
【００１３】
また、本発明は、太陽光発電ユニットが少なくとも１個の太陽電池ストリップを有し、その２個の電極ヘッドがそれぞれコネクタと接続されている、組合わせ式太陽光発電パネルである。つまり、組合わせ式太陽光発電パネルは、少なくとも１個の太陽光発電ユニットを有する。そして、太陽光発電ユニットは、少なくとも１個の太陽電池ストリップを有し、その２個の電極ヘッドがそれぞれコネクタと接続されている。
【００１４】
また、本発明は、コネクタが、プラグ、ソケット及び胴部を有する一体化電気部品であり、プラグの断面はスピンドル状で、ソケットの断面がＸ形状のスロットである、組合わせ式太陽光発電パネルである。つまり、コネクタそのものは、いくらかの幅及び長さを有し、プラグ及びソケットを両端に有し、斜め方向又は直立方向の電極差込みソケットを胴部に有する。
【００１５】
また、本発明は、コネクタが、プラグ、ソケット及び胴部を有し、プラグの断面はスピンドル状で、ソケットの断面がＸ形状のスロットである組合わせ式太陽光発電パネルである。この場合、太陽電池ストリップは、斜め方向又は直立方向にコネクタに挿入することができる。コネクタは、プラグ、ソケット及び胴部を有する一体化電気部品である。プラグの断面はスピンドル状のように見える。ソケットは、断面がＸ形に見えるスロットである。
【００１６】
また、本発明は、コネクタが、打抜き又は鋳造された金属片であり、コネクタに絶縁外被を有したモジュールを形成し、モジュールにいくつかの固定穴を有する、組合わせ式太陽光発電パネルである。つまり、コネクタの周囲には絶縁外被があり、プラスチック射出成形したモジュールを形成し、外被上又は上下面の適当な場所に固定穴がある。コネクタは、打抜き又は鋳造された金属片であり、周囲に絶縁材を有して、上にいくつかの固定穴を有するモジュールを形成する。
【００１７】
また、本発明は、コネクタのプラグがモジュールから突出し、コネクタのソケット及び電極差込みソケットがモジュールの中に隠れている、組合わせ式太陽光発電パネルである。つまり、コネクタのプラグはモジュールから突出する。コネクタのソケット及び電極差込みソケットはモジュールの中に隠れている。
【００１８】
また、本発明は、太陽電池の表面に透明なシートを貼り付けて、外部ガラス／ＰＥＴと太陽電池とを接着させ、封止した、組合わせ式太陽光発電パネルである。つまり、太陽電池の表面に透明なシートを貼り付けて、外部ガラス／ＰＥＴと太陽電池とを接着させ、封止することができる。
【発明の効果】
【００１９】
本発明の成果は、太陽光発電ユニットの標準化及び太陽光発電パネルのモジュール化である。太陽光発電ユニットは、太陽電池及びコネクタからなる標準化されたプラグアンドプレイ装置となる。太陽光発電パネル本体の設計は、実際の仕様に応じて柔軟に変更することができる。既に作製された太陽光発電ユニットを使用することにより、太陽光発電パネルの組立て工程が非常に容易になり、短時間で組み立てることができる。したがって、太陽光発電パネル本体は大量生産に適している。建築現場でおいて、太陽光発電パネル本体を異なる種類のガラスと容易に組み合わせて、異なる種類の太陽電池カーテンウォールガラスを形成することもできる。
【００２０】
本発明における組合わせ式太陽光発電パネルの太陽電池は薄膜太陽電池である。この太陽電池は、シリコンウェーハを使用することなく、ガラスのような廉価な基板に低温技術によって形成させたナノメートル半導体活性層を用いるため、低コストである。したがって、本発明における組合わせ式太陽光発電パネルは、市場で競争力が高く、将来有望である。
【図面の簡単な説明】
【００２１】
【図１】本発明の金属コネクタの略図である。
【図２】図１の金属コネクタの周囲のプラスチック射出成形外被の略図である。
【図２−１】図２の立面図である。
【図２−２】図２のＡ−Ａ面の断面図である。
【図２−３】図２の接続効果の略図である。
【図３】斜め方向の電極差込みソケットを有する本発明のコネクタの略図である。
【図４】図３の斜め方向の電極差込みソケットを有するコネクタの周囲のプラスチック射出成形外被の略図である。
【図４−１】図４の接続効果の略図である。
【図５】平らに延ばした図１のコネクタの略図である。
【図６】平らに延ばした図３のコネクタの略図である。
【図７】本発明の第一の実施態様の中空の太陽光発電カーテンウォールガラスである。
【図８】本発明の第二の実施態様の独立型太陽光発電システムである。
【発明を実施するための形態】
【００２２】
まず図１及び図５を参照すると、コネクタは、プラグ１及びソケット２を両端に有し、ネックａ及び胴部ｂを中間部に有している。図示するように、プラグ１は、外側に凸状であり、その断面はスピンドル状のように見える。ネックａは平面である。下部のソケットは外側に両凹状かつ内側に凸状であり、スロットを形成している。プラグ１がソケットに２に挿入されると、ぴったりと嵌合する。ネックａ及び胴部ｂには直立方向の電極差込みソケット３がある。直線状ストリップ４が胴部ｂの二側面に位置している。直線状ストリップ４は、内側に凸状かつ外側に凹状であり、したがって、挿入された太陽電池を弾性クランプのように固く締め付けて、挿入された太陽電池の電極とで優れた電気接触を提供することができる。一般に、コネクタは、いくらか厚みのある銅片である。本発明では電極差込みソケットと同じ長さである胴部ｂの長さは、挿入される太陽電池の幅とおおよそ等しい。図５は、図１のコネクタを平らに延ばした状態の略図である。図示するように、コネクタは、打抜きされた金属片であることができる。平らに延ばされた金属片を二つ折りにすると、コネクタが形成する。コネクタはまた、鋳造された金属片であってもよい。直立方向の電極差込みソケット３は、事実上、胴部ｂの二つの金属面の間の割れ目である。直線状ストリップ４の内面は凸状であり、挿入された電極をクランプのように固く締め付けて電極との優れた電気接触を提供する。図２に示すように、図１のコネクタの周囲にはプラスチック射出成形外被５がある。プラスチック射出成形外被５は、コネクタを固定してモジュールを形成する。プラスチック射出成形外被５は、絶縁された六角柱であってもよい。プラグ１及びネックａがモジュールから突出している。ソケット２及び直立方向の電極差込みソケット３はモジュールの中に隠れている。したがって、プラスチック射出成形外被５は、太陽光発電ユニットの電極が互いに良好に電気的に接触することを可能にする。そのものが標準部品であり、建築的美観に適するプラスチック射出成形外被５は、太陽光発電パネルを絶縁し、固定し、保護する効果を有する。図２−１、図２−２及び図２−３における符号は、上述したものと同じ意味を有する。
【００２３】
図３及び図６を参照すると、斜め方向の電極差込みソケット３′を有するコネクタのもう一つの実施態様が示されている。これは、図１の好ましい実施態様に類似しているが、斜め方向の電極差込みソケット３′の面とネックａ′又は胴部ｂ′の面との間に所定の角度を有する。プラグ１′は、外側に凸状であり、スピンドル状のように見える。ネックａ′の下に位置するソケット２′は、二つの側面が外側に凹状かつ内側に凸状であり、スロットを形成している。プラグ１′がソケットに２′に挿入されると、ぴったりと嵌合して優れた電気接触を提供することができる。斜め方向の電極差込みソケット３′の二つの側面には、内側に凸状かつ外側に凹状である直線状ストリップ４′がある。したがって、直線状ストリップ４′は、挿入された太陽電池を弾性クランプのように固く締め付けて、電極との優れた電気接触を提供することができる。
【００２４】
図４及び４−１を参照すると、図３のコネクタの周囲に設けられたプラスチック射出成形外被５′が示されている。このプラスチック射出成形外被５′もまた、通常は六角柱である標準部品である。プラグ１′及びネックａ′がプラスチック射出成形外被５′から突出している。ソケット２′及び斜め方向の電極差込みソケット３′はプラスチック射出成形外被５′の中に隠れている。プラスチック射出成形外被５′は、図２で述べた外被５と同じ機能、たとえばコネクタを絶縁し、固定し、保護する機能を有する。
【００２５】
次に図７を参照すると、本発明の太陽光発電パネルが中空ガラスと組み合わされている。薄膜太陽電池７はストリップ状に作られている。薄膜太陽電池７の各端がコネクタと接続されると、標準的な太陽光発電ユニットが形成する。コネクタは、金属片を打抜き加工した標準部品であり、プラスチック射出成形外被５が周囲に設けられている。コネクタは、プラグ１及びソケット２を両端に有し、ネックａ、電極差込みソケット３を有している。直線状ストリップ４が胴部ｂの各側に位置している。直線状ストリップ４は、内側に凸状かつ外側に凹状であり、したがって、挿入された太陽電池を弾性クランプのように固く締め付けることができる。太陽光発電パネル本体中の太陽光発電ユニットは、光を透過させるために間隔を設けて配置されている。太陽光発電パネル本体は、中空ガラス６の縁に取り付けられた垂直なアルミニウム枠９の中に設置されている。接続部８は、正の外部電極と負の外部電極に接続する。また、図７には、分子メッシュ１０及びシールグルー１１が示されている。
【００２６】
本発明の太陽電池カーテンウォールガラスのサイズ及び出力平均値は、現実の必要性に応じて調節することができる。本発明の太陽電池は、バッテリ材料工業の規定に準じる薄膜太陽電池である。アモルファスシリコン太陽電池が、その資源の豊富さ及び低コストのため、最も好ましい選択である。太陽電池は、実際の設計によって必要となる電圧、つまり、１２Ｖ、２４Ｖ、４８Ｖ、又はその他の電圧を得るために、所定の幅及び長さのストリップに切り分けられる。太陽電池ストリップは、２つの電極ヘッドをコネクタと接続して太陽光発電モジュールを形成する。本明細書では、太陽光発電モジュールは太陽光発電ユニットである。そして、複数の太陽光発電ユニットが太陽光発電パネル本体を形成する。現実の使用では、太陽光発電ユニットは、カーテンウォールガラスの内枠の寸法にしたがって標準化される。標準的な太陽光発電ユニットは、内枠の構造を変更することなく、また、太陽電池を設置するためのアルミニウム枠に溝を設けることなく、カーテンウォールガラスの内枠の中に好都合に設置することができる。そのものが導電性であるコネクタは、嵌合することにより、太陽光発電パネル本体の各側にそれぞれあるプラス棒状電極及びマイナス棒状電極として、内部電極接続を形成する。平行に配置されたコネクタの周囲の外被は、太陽光発電パネル本体とカーテンウォールガラスの内枠との間で絶縁体として働く。概して、コネクタが本発明の重要な要素である。第一に、コネクタは、太陽光発電パネル本体の各側にそれぞれあるプラス棒状電極及びマイナス棒状電極として、内部電極を形成する。第二に、コネクタ及びその外被は、絶縁、固定及び保護の効果を有する太陽光発電パネル本体のフレームを形成する。
【００２７】
本発明の太陽電池カーテンウォールガラスには広範な用途がある。たとえば、カーテンウォール、窓、屋根、温室、プールなどとして使用することができる。
【００２８】
次に、例示のため、本発明の実施態様を以下さらに説明する。第一の実施態様は、中空の太陽光発電カーテンウォールガラスである。それぞれプラス電極及びマイナス電極である太陽電池ストリップの二端が、図３及び図４に示す斜め方向の電極差込みソケット３′を有するコネクタと接続されることによって、太陽光発電ユニットを形成する。コネクタの周囲に外被５′を備えた複数の太陽光発電ユニットが、ブロック遊びのようにソケット１′がプラグ２′に挿入されることにより、太陽光発電パネル本体を形成する。太陽光発電パネル本体の内部電極は、それぞれ並列に接続されたプラス棒状電極及びマイナス棒状電極によって形成されている。太陽光発電パネル本体の左フレーム及び右フレームは複数の外被５′によって形成される。太陽光発電パネル本体中の太陽光発電ユニットは、光を透過させるための間隔を有して配置されている。太陽光発電パネル本体は、カーテンウォールガラスの内枠の中に直に設置することができる。太陽光発電パネル本体中の太陽電池は、カーテンウォールガラスの垂直面に対して斜め方向になるため、ルーバーのブレードのように見える。
【００２９】
この実施態様では、図３及び図４に示す斜め方向の電極差込みソケット３′を有するコネクタの代わりに、図１及び図２に示す直立方向の電極差込みソケット３を有するコネクタを用いることができる。プラス電極及びマイナス電極である太陽電池ストリップの二端が、それぞれ、直立方向の電極差込みソケット３を有するコネクタと接続されると、太陽光発電ユニットが形成する。これらの太陽光発電ユニット複数を含む太陽光発電パネル本体もまた、カーテンウォールガラスの内枠の中に設置することができる。この場合も、カーテンウォールガラスと平行に位置し、光を透過させるための間隔を有する太陽光発電パネル本体中の太陽電池は、ルーバーのブレードのように見える。
【００３０】
第二の実施態様は、図８に示すような独立型太陽光発電システムである。上述したような組合わせ式太陽光発電パネル複数を組み合わせて含む太陽光発電アレイは、独立型太陽光発電システム又はグリッド接続発電システムの一部となる。独立型太陽光発電システムは、一般に、太陽光発電パネル、充電コントローラ、インバータ及びバッテリを含む。組合わせ式太陽光発電パネルによって発生する出力の電圧値が所定のレベルに達すると、電力を１２Ｖ、２４Ｖ又は４８Ｖのバッテリに充電することができる。そして、インバータが、低電圧の直流を１１０Ｖ又は２２０Ｖの交流に変換して、定常的かつ安全な電力を負荷に対して提供する。
【００３１】
第三の実施態様は、低放射率コーティングガラス（低Ｅガラス）又は低鉄強化テキスチャーガラス（白ガラス）と組み合わせた太陽光発電パネル本体である。上述したような太陽光発電パネル本体が低Ｅガラス又は白ガラスの中間に設置される。内部電極は、枠組みの表面のコーティンググルーにより、固定され、ガラスの内枠とで絶縁される。十分な封止を保証するため、太陽光発電パネル本体の表面と外部ガラスとの間にシールグルーが配置される。しかし、内部電極は外部電極と接続される。そして、外部電極は外気に露出する。したがって、太陽光発電パネル本体のフレームはガラスの中に封止される。
【００３２】
第四の実施態様は、太陽光発電カーテンウォールガラスである。太陽光発電カーテンウォールガラス中の太陽光発電ユニットは、標準部品として作ることができる。設置の際、太陽光発電ユニットを、ブロック遊びのように嵌合させる。コネクタの周囲の外被には、内部電極のフレームを補強するため、上下面の適切な場所に固定穴を設けることができる。
【００３３】
第五の実施態様は、装飾ガラスと組み合わせた太陽光発電パネル本体である。太陽光発電パネル本体中の太陽電池は、低光度用のアモルファスシリコン太陽電池であってもよい。太陽電池のバックガラスには、芸術的な形の模様を施してもよい。したがって、太陽光発電パネル本体は、電力を供給するだけでなく、美的な外観をも提供する。
【００３４】
要約すると、本発明の組み合わせ太陽光発電カーテンウォールガラスは、太陽エネルギーを電力に変換するという利点を有するだけでなく、他の利点、たとえば光の透過、断熱、遮音、光害の軽減などの利点も有する。近年、健康及び環境保護の社会的意識が世界中で高まっている。クリーンエネルギー、特に太陽エネルギーは、世界中のどの場所でも均等に入手可能であるため、世間の注目を集めている。平均すると、地球上の１平方メートルあたり１年間に１０００kWhの太陽エネルギーを受けることができる。さらに、中国による再生可能エネルギー法の制定が、太陽エネルギーの開発及び使用を大幅に促進するであろう。太陽電池カーテンウォールガラスの大量使用の時代が到来しつつある。
【符号の説明】
【００３５】
１、１′  プラグ
２、２′  ソケット
３  直立方向の電極差込みソケット
３′  斜め方向の電極差込みソケット
４、４′  直線状ストリップ
５、５′  プラスチック射出成形外被
６  中空ガラス
７  薄膜太陽電池
８  接続部
９  アルミニウム枠
１０  分子メッシュ
１１  シールグルー
ａ、ａ′  ネック
ｂ、ｂ′  胴部
【図１】
2010016407.tif 000003
【図２】
2010016407.tif 000004
【図２−１】
2010016407.tif 000005
【図２−２】
2010016407.tif 000006
【図２−３】
2010016407.tif 000007
【図３】
2010016407.tif 000008
【図４】
2010016407.tif 000009
【図４−１】
2010016407.tif 000010
【図５】
2010016407.tif 000011
【図６】
2010016407.tif 000012
【図７】
2010016407.tif 000013
【図８】
2010016407.tif 000014